(57)【要約】【課題】医療業務の効率を改善出来る医療業務システムを適用する。【解決手段】医療業務システム１の医療業務情報サーバ４００は、患者ＩＤおよび作業日時指示を含むオーダ情報を取得し、オーダ情報と看護師作業項目との対応テーブルに基づいて、看護師用携帯端末ＩＤに関連した患者についての、一般ＤＢ５００に蓄積された看護師作業項目を抽出し、この看護師作業項目および看護師用携帯端末ＩＤと患者ＩＤとの二者関係を参照して取得された看護師用携帯端末ＩＤと、患者ＩＤ、作業日時および看護師作業項目を含んだ、看護師用携帯端末ＩＤ毎の看護師携帯端末提供情報を生成し、この提供情報を看護師用携帯端末参照用ＤＢ６００に格納させ、看護師用携帯端末から、上記提供情報の提供要求があった時に、上記ＤＢ６００を参照して、患者ＩＤ順または作業日時順に並べ替えて上記提供情報を、ネットワーク１０を介して当該看護師用携帯端末に提供する。【選択図】図２
2015125550.tif 000002
【特許請求の範囲】
【請求項１】
少なくとも医師用端末、看護師用端末、医療業務情報サーバおよび看護師用携帯端末がネットワークを介して接続された病院における医療業務システムであって、
一般データベースに、看護師用携帯端末の取り扱いを病院から認可された看護師によって所持される該看護師用携帯端末の看護師用携帯端末ＩＤと、患者ＩＤとの二者関係および医師から看護師への医療業務の指示内容を示すオーダ情報と医療業務について予め設定された看護師作業項目との対応テーブルが予め格納され、
演算処理手段が、患者ＩＤおよび作業日時指示を含むオーダ情報を取得し、予め格納された対応テーブルに基づいて、看護師用携帯端末ＩＤに関連した患者についての、一般データベースに蓄積された看護師作業項目を抽出し、抽出した看護師作業項目および予め格納された二者関係を参照して取得された看護師用携帯端末ＩＤと、患者ＩＤ、作業日時および看護師作業項目を含んだ、看護師用携帯端末ＩＤ毎の看護師携帯端末提供情報を生成し、生成した看護師携帯端末提供情報を看護師用携帯端末参照用データベースに格納させ、看護師用携帯端末から、看護師携帯端末提供情報の提供要求があった時に、看護師用携帯端末参照用データベースを参照して、患者ＩＤ順または作業日時順に並べ替えて看護師携帯端末提供情報を、ネットワークを介して当該看護師用携帯端末に提供すること
を特徴とする病院における医療業務システム。
【請求項２】
請求項１記載の医療業務システムにおいて、演算処理手段が、看護師用端末から発せられた、看護師によって入力された患者ＩＤ、患者情報または診療情報、および看護師携帯端末ＩＤを含む要求情報を取得し、取得した要求情報に基づいて、一般データベースに蓄積された患者情報または診療情報を抽出し、抽出した患者情報または診療情報を含んだ、取得された看護師用携帯端末ＩＤ毎の看護師携帯端末提供要求情報を生成し、生成した看護師携帯端末提供要求情報を看護師用携帯端末参照用データベースに格納させ、看護師用携帯端末から、看護師携帯端末提供要求情報の提供要求があった時に、看護師用携帯端末参照用データベースを参照して、看護師携帯端末提供要求情報を、ネットワークを介して当該看護師用携帯端末に提供することを特徴とする病院における医療業務システム。
【請求項３】
請求項２記載の医療業務システムにおいて、演算処理手段は、一般データベースに蓄積された患者情報または診療情報のうち、抽出した患者情報または診療情報について、変更や削除の可否状態を判断するためのロックステータスを付与し、ロックステータスが付与された患者情報または診療情報に対しての情報更新を禁止状態にし、看護師携帯端末提供情報の登録更新入力があった時に、ロックステータスが付与された患者情報または診療情報のロックステータスを解除することを特徴とする病院における医療業務システム。
【請求項４】
請求項３記載の医療業務システムにおいて、演算処理手段は、看護師携帯端末から登録更新入力のあった看護師携帯端末提供情報に含まれる患者情報または診療情報について更新済みステータスを付与して該患者情報または該診療情報を更新し、更新済みステータスが付与された患者情報または診療情報について看護師用携帯端末の画面表示手段に情報が変更された旨を画面表示することを特徴とする病院における医療業務システム。
【請求項５】
請求項４記載の医療業務システムにおいて、演算処理手段は、ロックステータスが付与された患者情報または診療情報に対しての情報更新の要求を取得した時に、取得した要求に基づいて看護師用携帯端末参照用データベースに格納された看護師携帯端末提供要求情報に含まれる患者情報または診療情報の情報更新を行うことを特徴とする病院における医療業務システム。
【請求項６】
請求項５記載の医療業務システムにおいて、演算処理手段は、情報更新が行われた看護師用携帯端末参照用データベースに格納された看護師携帯端末提供要求情報に含まれる患者情報または診療情報に対して通知フラグを付与し、通知フラグを付与された患者情報または診療情報について、看護師用携帯端末の画面表示手段に情報更新が行なわれた旨の画面表示を行うことを特徴とする病院における医療業務システム。
【請求項７】
請求項５記載の医療業務システムにおいて、演算処理手段は、ロックステータスが付与された患者情報または診療情報に対しての情報更新の要求を取得した時に、情報更新を要求された患者情報または診療情報に相当する、看護師携帯端末提供情報に含まれる患者情報または診療情報に更新済みステータスが付与されている場合に、該患者情報または該診療情報の情報更新を禁止状態にすることを特徴とする病院における医療業務システム。
【請求項８】
請求項１記載の医療業務システムにおいて、一般データベースに、看護師用携帯端末の取り扱いを病院から認可された看護師の看護師ＩＤと看護師用携帯端末ＩＤとの二者関係が予め格納され、演算処理手段は、看護師用携帯端末から看護師携帯端末提供要求情報の要求があった場合に、予め格納された二者関係を参照し、看護師用携帯端末参照用データベースを参照して、看護師携帯端末提供情報を、ネットワークを介して当該看護師用携帯端末に提供することを特徴とする病院における医療業務システム。
【請求項９】
請求項１ないし請求項８いずれかに記載の医療業務システムにおける医療業務情報サーバであって、
一般データベースに、看護師用携帯端末の取り扱いを病院から認可された看護師によって所持される該看護師用携帯端末の看護師用携帯端末ＩＤと、患者ＩＤとの二者関係および医師から看護師への医療業務の指示内容を示すオーダ情報と医療業務について予め設定された看護師作業項目との対応テーブルが予め格納され、
演算処理手段が、患者ＩＤおよび作業日時指示を含むオーダ情報を取得し、予め格納された対応テーブルに基づいて、看護師用携帯端末ＩＤに関連した患者についての、一般データベースに蓄積された看護師作業項目を抽出し、抽出した看護師作業項目および予め格納された二者関係を参照して取得された看護師用携帯端末ＩＤと、患者ＩＤおよび作業日時を含んだ、看護師用携帯端末ＩＤ毎の看護師携帯端末提供情報を生成し、生成した看護師携帯端末提供情報を看護師用携帯端末参照用データベースに格納させ、看護師用携帯端末から、看護師携帯端末提供情報の提供要求があった時に、看護師用携帯端末参照用データベースを参照して、患者ＩＤ順または作業日時順に並べ替えて看護師携帯端末提供情報を、ネットワークを介して当該看護師用携帯端末に提供すること
を特徴とする医療業務システムにおける医療業務情報サーバ。
【請求項１０】
少なくとも医師用端末、看護師用端末、医療業務情報サーバおよび看護師用携帯端末がネットワークを介して接続された病院における医療業務システムによって処理する処理方法であって、
演算処理手段が、一般データベースに、看護師用携帯端末の取り扱いを病院から認可された看護師によって所持される該看護師用携帯端末の看護師用携帯端末ＩＤと、患者ＩＤとの二者関係および医師から看護師への医療業務の指示内容を示すオーダ情報と医療業務について予め設定された看護師作業項目との対応テーブルを予め格納し、
演算処理手段が、患者ＩＤおよび作業日時指示を含むオーダ情報を取得し、予め格納された対応テーブルに基づいて、看護師用携帯端末ＩＤに関連した患者についての、一般データベースに蓄積された看護師作業項目を抽出し、抽出した看護師作業項目および予め格納された二者関係を参照して取得された看護師用携帯端末ＩＤと、患者ＩＤおよび作業日時を含んだ、看護師用携帯端末ＩＤ毎の看護師携帯端末提供情報を生成し、生成した看護師携帯端末提供情報を看護師用携帯端末参照用データベースに格納させ、看護師用携帯端末から、看護師携帯端末提供情報の提供要求があった時に、看護師用携帯端末参照用データベースを参照して、患者ＩＤ順または作業日時順に並べ替えて看護師携帯端末提供情報を、ネットワークを介して当該看護師用携帯端末に提供すること
を特徴とする病院における医療業務システムの処理方法。
【発明の詳細な説明】
【技術分野】
【０００１】
本発明は、病院などにおける医療に関する色々な業務を処理するための医療業務システムおよび医療業務システムによる処理方法、医療業務システムの医療業務情報サーバに関する。
【背景技術】
【０００２】
病院施設で用いられる医療業務システムにおいて、看護師が病院施設内の任意の場所で携帯端末による無線接続を用い、サーバのデータベースに格納された、患者の医療業務に関する情報を参照して、上記患者に対する医療業務を効率よく実施することが図られている。
【０００３】
このような医療業務システムを用いる環境下において、上記のように携帯端末を用いる技術は、その携帯端末が持つ携帯性や使用性に基づく利便性により、看護師による医療業務の効率の改善に大きく役立っている。特許文献１には、この種の技術が適用された医療業務システムについて記載されており、看護師が携帯端末を用いて無線ＬＡＮ接続を介してサーバ装置に格納されたオーダ情報を参照する、医療業務システムが記載されている。
【先行技術文献】
【特許文献】
【０００４】
【特許文献１】特開２００６−７２８２８
【発明の概要】
【発明が解決しようとする課題】
【０００５】
上述の利便性の理由から、近年種々の携帯端末が提供され得る状況下にあり、上記の医療業務システムはこれらの携帯端末に対応できるようにすることが重要とされている。具体的には、上記の医療業務システムは、看護師が用いる携帯端末毎にその看護師にとって最適な情報が参照される、携帯端末の参照用のデータベースを提供することが望ましい。これについて、特許文献１ではこのような観点については論じられていない。
【０００６】
本発明の目的は、医療業務の効率を改善することができる医療業務システムおよび医療業務システムの医療業務情報サーバを提供することである。
【課題を解決するための手段】
【０００７】
本発明の医療業務システムは、少なくとも医師用端末、看護師用端末、医療業務情報サーバおよび看護師用携帯端末がネットワークを介して接続された病院における医療業務システムであって、
一般データベースに、看護師用携帯端末の取り扱いを病院から認可された看護師によって所持される該看護師用携帯端末の看護師用携帯端末ＩＤと、患者ＩＤとの二者関係および医師から看護師への医療業務の指示内容を示すオーダ情報と医療業務について予め設定された看護師作業項目との対応テーブルが予め格納され、
演算処理手段が、患者ＩＤ、作業日時指示および看護師作業項目を含むオーダ情報を取得し、予め格納された対応テーブルに基づいて、看護師用携帯端末ＩＤに関連した患者についての、一般データベースに蓄積された看護師作業項目を抽出し、抽出した看護師作業項目および予め格納された二者関係を参照して取得された看護師用携帯端末ＩＤと、患者ＩＤ、作業日時および看護師作業項目を含んだ、看護師用携帯端末ＩＤ毎の看護師携帯端末提供情報を生成し、生成した看護師携帯端末提供情報を看護師用携帯端末参照用データベースに格納させ、看護師用携帯端末から、看護師携帯端末提供情報の提供要求があった時に、看護師用携帯端末参照用データベースを参照して、患者ＩＤ順または作業日時順に並べ替えて看護師携帯端末提供情報を、ネットワークを介して当該看護師用携帯端末に提供すること
を特徴としている。
【発明の効果】
【０００８】
本発明によれば、医療業務の効率を改善することができる医療業務システムおよび医療業務システムの医療業務情報サーバを提供することができる。
【図面の簡単な説明】
【０００９】
【図１】本発明が適用された医療業務システムの一実施例の全体構成の概略図である。
【図２】本発明が適用された医療業務システムにおける看護師携帯端末へ看護師携帯端末提供情報を提供する構成をブロック図で示す図である。
【図３】本実施例の医療業務システムで扱われる医師によるオーダ情報を表で示す図である。
【図４】本実施例の医療業務システムの一般ＤＢに予め格納される患者ＩＤと看護師携帯端末ＩＤとの関係を表で示す図である。
【図５】本実施例の医療業務システムの一般ＤＢに予め格納されるオーダと看護師作業項目との対応関係を表で示す図である。
【図６】本実施例の医療業務システムの看護師用携帯端末に提供される情報を表で示す図である。
【図７】本実施例の医療業務システムの医療業務サーバの詳細構成をブロック図で示す図である。
【図８】本実施例の医療業務システムの一般ＤＢまたは専用ＤＢに格納される患者情報テーブルの例を示す図である。
【図９】本実施例の医療業務システムの一般ＤＢまたは専用ＤＢに格納される検温情報テーブルの例を示す図である。
【図１０】本実施例の医療業務システムの一般ＤＢまたは専用ＤＢに格納されるオーダ情報テーブルの例を示す図である。
【図１１】本実施例の医療業務システムの一般ＤＢまたは専用ＤＢに格納される採血情報テーブルの例を示す図である。
【図１２】本実施例の医療業務システムに格納される通知テーブルの例を示す図である。
【図１３】本実施例の医療業務システムに格納されるユーザテーブルの例を示す図である。
【図１４】本実施例の医療業務システムに格納される携帯端末テーブルの例を示す図である。
【図１５】本実施例の医療業務システムにおける医療業務情報の処理手順の例を（ａ）と（ｂ）を用いて順次説明する図である。
【図１６】図１５の手順における固定型端末の画面表示の例を（ａ）〜（ｇ）を用いて順次説明する図である。
【図１７】図１５の手順における携帯端末の画面表示の例を（ａ）〜（ｃ）を用いて順次説明する図である。
【図１８】本実施例の医療業務システムにおける医療業務情報の処理手順の別の例を説明する図である。
【図１９】図１８の手順における固定型端末の画面表示の例を説明する図である。
【図２０】図１８の手順における携帯端末の画面表示の例を説明する図である。
【図２１】本実施例の医療業務システムにおける格納される看護師ＩＤと看護師用携帯端末ＩＤとの二者関係の例を示す図である。
【図２２】本実施例の医療業務システムにおける携帯端末の画面表示の別の例を説明する図である。
【発明を実施するための形態】
【００１０】
以下添付図面に基づいて本発明を適用した医療業務システムの一実施形態（以下実施例と記す）を説明する。なお添付図面において略同一の構成あるいは略同一の処理を行うステップには同一符号を付し、その繰り返しの説明は省略する。
【００１１】
図１は、本発明が適用された医療業務システムの一実施例の全体構成の概略図である。本実施例の医療業務システム１は、医療機関である病院等に構築されるシステムであり、医師が用いる医師用端末１００、看護師が用いる看護師用端末２００、医療業務情報サーバ４００および看護師が用いる看護師用携帯端末３００が、ネットワークを形成する、通信手段１０や通信手段１４からなる通信手段１０（以下、ネットワーク１０とも称する。）を介して接続される。医師用端末１００や看護師用端末２００は、有線ＬＡＮを形成する通信手段１２によりネットワーク接続され、看護師用携帯端末３００は、無線ＬＡＮを形成する通信手段１４によりネットワーク接続される。この医療業務システム１は、様々な病院施設への設置環境下に応じて様々な形態にて提供され得るものである。この看護師用携帯端末３００は、この取り扱いを病院から認可された看護師によって所持されるものである。
【００１２】
また、本実施例の医療業務システム１は、医療業務に関する様々な情報（以下、医療業務情報と称する。）を格納する一般データベース５００を備えており、例えば医療業務情報サーバ４００に設けられる。以下、本実施例においては、医療業務情報サーバ４００が一般データベース５００を備えるものとして説明する。一般データベース５００に格納される医療業務情報は、医師用端末１００や看護師用端末２００は固定型端末５０からネットワーク１０を介しての参照または情報の追加・削除などの更新ができるようになっている。看護師用携帯端末３００からネットワーク１０を介しての参照または情報の追加・削除などの更新も可能である。
【００１３】
また、本実施例の医療業務システム１は、特定の看護師用携帯端末からネットワーク１０を介しての参照または更新ができる看護師用携帯端末参照用データベース６００が備えられる。この看護師用携帯端末参照用データベース６００には、一般データベース５００と同様に医療業務情報が格納されるものであり、一般データベース５００に格納されている医療業務情報の中から選択的に抽出された医療業務情報が格納される。また医師から入力された、医者から看護師への、患者に対する採血、注射、点滴などの医療業務に関する指示内容を示す情報（以下、オーダ情報という。）に対応する看護師作業項目についての情報が格納される。これらの各情報は、看護師用携帯端末提供情報として看護師用携帯端末参照用データベース６００に格納される。この看護師用携帯端末参照用データベース６００は、特定の看護師用携帯端末からの情報の提供があった時に生成するようにできるし、予め生成しておくこともできる。この看護師用携帯端末参照用データベース６００は、特定の看護師用端末以外からは参照または更新することができないようにされた専用のデータベースとされるため、以下専用データベース６００とも称する。また、以下「データベース」という表記は「ＤＢ」と表記して説明する。以下、情報の追加・削除などの更新をし、一般ＤＢ５００や専用ＤＢ６００に情報を格納することを情報の「登録」とも称する。また、一般ＤＢ５００、専用ＤＢ６００には情報の格納によって格納される情報が蓄積されていくので、情報が格納されることを情報が「蓄積される」とも称する。
【００１４】
また、医療業務情報とは、具体的には入院患者や通院患者（以下、患者と総称する。）の氏名、身長、体重、検温した時の体温などの患者情報や、オーダ情報や採血、注射、点滴などの看護師の作業項目についての実施情報や実施内容を示す情報等の診療情報を含む情報である。この患者情報や診療情報は患者の電子カルテ情報として提供される場合もある。本実施例では、一般ＤＢ５００においては、患者情報が患者情報ＤＢ５１０に格納され、診療情報が診療情報ＤＢ５６０に格納される。また、専用ＤＢ６００においては、抽出された患者情報が携帯端末用患者情報ＤＢ６１０に格納され、抽出された診療情報が携帯端末用診療情報ＤＢ６６０に格納される。なお、ここで「抽出」とは、一般ＤＢ５００からの情報を選択的に複製して情報を生成することを意味しており、複製された一般ＤＢ５００に格納される情報は削除されることではない。上記の一般ＤＢ５００や専用ＤＢ６００は、上述した医療業務情報の他にも、例えば医師や看護師毎に割り当てられる認識番号としてＩＤ情報や、医師用端末１００や看護師用端末２００や看護師用携帯端末３００などの機器毎に割り当てられる認識番号としてのＩＤ情報や、またこれらのＩＤ同士の対応関係テーブルなど、いろいろな情報が格納される。このように一般ＤＢ５００に格納された様々な情報は、医師用端末１００や看護師用端末２００から、参照や更新ができるようになっている。
【００１５】
医師用端末１００や看護師用端末２００は固定型端末５０であり、例えばパーソナルコンピュータが用いられる。また、看護師携帯端末３００は携帯型端末６０であり、例えばタブレット型端末が用いられる。また、看護師携帯端末３００は、看護師携帯端末３００や看護師携帯端末３１０というように複数個が無線ＬＡＮを経由して医療業務情報サーバ４００に接続され、情報のやり取りが可能である。また、図示していないが、医師用端末１００や看護師用端末２００もそれぞれ複数個が通信手段１０を介して、医療業務情報サーバ４００との情報のやり取りが可能となっている。
【００１６】
医師用端末１００や看護師用端末２００の固定型端末５０は、同様の構成であり、ネットワーク１０を介して医療業務情報サーバ４００から様々な情報をやりとりするためのソフトウェアを備えている。例えば、医師用端末１００や看護師用端末２００には、医療業務情報サーバ４００から様々な情報をやりとりするためのブラウザソフトがインストールされている。これら医師用端末１００や看護師用端末２００からも、医療業務情報サーバ４００に格納された患者情報や診療情報や、その他の医療業務情報を参照し、更新をすることができる。看護師用携帯端末３００は、携帯性を有する小型の構成からなり、例えば、タブレット型端末やスマートフォンなどのタッチ操作が可能な情報通信機器であり、直観的な操作に特化した機能を有している。また、上記のようなブラウザソフトをインストールして用いることもできるが、任意の情報を参照し、表示し、さらに情報の入力による情報更新が行える機能を有していればよく、単純な演算処理で実現できる機能を備える構成とすることで、携帯性を有する小型の構成をより活かすことができ、特に病院での患者への医療業務を実施する場合など、速やかな情報の処理が求められる状況において、好適に用いることができる。例えば、少なくとも、任意の情報を参照し表示するための画面表示処理、情報の入出力に関するプログラムを備えていればよい。また、本実施例の医療業務システム１または医療業務情報サーバ４００は、上述の機能を有しているものであれば、様々な形態の携帯端末を看護師用携帯端末３００として用いることができる。
【００１７】
図２は、本発明が適用された医療業務システムにおける看護師携帯端末へ看護師携帯端末提供情報を提供する構成をブロック図で示す図である。医療業務情報サーバ４００は、医師用端末１００や看護師用端末２００や看護師用携帯端末３００との情報のやり取りについてネットワーク１０を介して行うための入出力部４１０と、一般ＤＢ５００や専用ＤＢ６００と、医師用端末１００や看護師用端末２００や看護師用携帯端末３００からの情報に基づいて一般ＤＢ５００または専用ＤＢ６００に格納された医療業務情報の取り出し、追加や削除の更新などの制御を行う演算処理手段８００とを備えている。また、演算処理手段８００は、一般ＤＢ５００に格納された医療業務情報について上記制御を行うＤＢ制御部８１０と、専用ＤＢ６００に格納する医療業務情報について上記制御を行うＤＢ制御部８３０と、ＤＢ制御部８１０を介して抽出した医療業務情報について、専用ＤＢ６００の作成基準情報８６０に基づいて専用情報を生成する専用情報生成部８５０と、を備えている。上記ＤＢ制御部８１０とＤＢ制御部８３０は、図示のようにそれぞれ別個の構成としてもよいし、一つのＤＢ制御部として構成してもよい。また、上記作成基準情報８６０は、一般ＤＢ５００に格納してもよいし、医療業務サーバの図示しない他の格納部に格納してもよいし、外部の格納部に格納してネットワーク１０を介して情報を取得するようにしてもよい。ここで、専用情報生成部８５０は、後述する携帯端末参照用ＤＢ作成部８５０に相当し、作成基準情報８６０は、医師から看護師への医療業務の指示内容を示すオーダ情報と医療業務について予め設定された看護師作業項目との対応テーブルに相当する。
【００１８】
図３は、本実施例の医療業務システムで扱われる医師によるオーダ情報を表で示す図である。オーダ情報は、図示のように、「検査指示」と「患者名（患者ＩＤ）」と「実施日時指示」の情報を含んで構成される。図３では採血に関するオーダ情報について例示しているが、その他の検査指示、例えば注射や点滴等の指示に関する検査指示の情報も含まれる。ここで、医師が任意の患者の検査を行うべく、看護師に患者に対する作業を行わせる指示を出す際、このオーダ情報を入力することとなる。具体的には、医師が医師用端末１００を用いて上記の情報を端末のブラウザの画面から入力することによって医療業務情報サーバ４００に提供する。この図３の表において、「検査指示」は、採血（血糖）、採血（一般）や採血（ガン）などの検査に関する指示を示すものであり、「患者名」は検査対象の患者名または患者ＩＤを示すものであり、「実施日時指示」は、看護師に該当する検査指示を実施させる日時を示すものである。この日時は、時間指定でもよいし、時刻指定でもよい。図示の表において、「検査指示」が採血（血糖）である例のオーダ内容について説明すると、血糖値の検査をするべく、患者名Ａに対して２０１３年１月２０日の１４時から１５時の間に採血を実施せよとの指示を意味している。オーダ情報は以上の情報により構成されるが、その他の情報をオーダ情報として含めてもよい。ここで、「患者ＩＤ」は、例えば、患者が入院した時、または初回の診察時に、医療業務システム１によって患者の認識番号として患者毎に割り当てられるＩＤである。
【００１９】
図４は、本実施例の医療業務システムの一般ＤＢに予め格納される患者ＩＤと看護師携帯端末ＩＤとの関係を表で示す図である。図４に示す表では、例えば「看護師用携帯端末ＩＤ」に対応する患者ＩＤは「１００００１」および「１００００２」というように対応関係を示しており、看護師用携帯端末の取り扱いを病院から認可された看護師によって所持される看護師用携帯端末毎に扱える患者の情報について予め制限を設けるものである。これらの対応関係に基づいて、看護師用携帯端末に提供される情報が設定される。ここで、「看護師用携帯端末ＩＤ」は、医療業務システム１によって病院での使用として認可された携帯端末として携帯端末毎に割り当てられるＩＤである。これらの関係は、例えば医療従事者によって、固定型端末５０を用いて上記の情報を端末のブラウザの画面から入力するなどによって一般ＤＢ５００に格納される。なお、この関係は、特定の看護師用携帯端末に情報を持ち出したい時に、固定型端末５０から入力して設定してもよい。
【００２０】
図５は、本実施例の医療業務システムの一般ＤＢに予め格納されるオーダと看護師作業項目との対応関係を表で示す図である。この対応関係は、図示のように、「オーダ種類Ｎｏ．」と「オーダ種類」と「採血量」および「容器個数」の情報を含んで構成される。図５では採血に関するオーダ情報について例示しているが、その他の検査、例えば注射や点滴等の検査に関する情報も含まれる。これらの対応関係は、例えば医療従事者によって、固定型端末５０を用いて上記の情報を端末のブラウザの画面から入力するなどによって一般ＤＢ５００に格納される。この図５の表において、「オーダ種類Ｎｏ．」は、オーダ種類ごとに設ける識別用のＮｏ．であり、「オーダ種類」は検査内容を区別するために付す検査名を示すものであり、「採血量」は、看護師が患者より採血する容量を示すものであり、「容器個数」は、採血する血液をどの容量の容器でいくつ要するかという内容を示すものである。図示の表において、「オーダ種類Ｎｏ．」が００１である例の対応関係について説明すると、オーダ種類が「採血Ａ」の場合は、患者からの採血量は４００ｃｃであり、この採血を１００ｃｃの容器で４個に分けて行うという対応関係を意味している。このようにこれらの対応関係は、オーダと看護師作業項目との対応テーブルとして提供される。この対応関係は以上の項目により構成されるが、その他の項目を対応関係として含めてもよい。
【００２１】
このように、本実施例の医療業務システム１では、一般ＤＢ５００に、看護師用携帯端末３００の取り扱いを病院から認可された看護師によって所持される該看護師用携帯端末３００の看護師用携帯端末ＩＤと、患者ＩＤとの二者関係および医師から看護師への医療業務の指示内容を示すオーダ情報と医療業務について予め設定された看護師作業項目との対応テーブルが予め格納される。
【００２２】
図６は、本実施例の医療業務システムの看護師用携帯端末に提供される情報を表で示す図である。この情報は、医師から採血に関する指示があった場合を示しており、図示のように、「患者名」と「実施日時」と「採血量」の情報を含んで構成される。この提供情報は、上記入力されたオーダ情報と患者ＩＤと看護師携帯端末ＩＤとの関係とオーダと看護師作業項目との対応関係に基づき生成される。また、これら提供情報は、図６（ａ）に示すように、患者ＩＤ順に並べ替えて提供したり、図６（ｂ）に示すように、実施日時順に並べ替えて提供したりすることが、演算処理手段８００によってなされる。以上の構成である医療業務システム１について、以下看護師用携帯端末に看護師用携帯端末提供情報を生成する手順について説明する。
【００２３】
まず予め、医師により医師用端末１００から、入出力部４１０を介して上述したオーダ情報が入力され、一般ＤＢ５００への格納が行われる。次に、演算処理手段８００は、患者ＩＤおよび作業日時指示を含むオーダ情報を取得し、予め格納された対応テーブルに基づいて、看護師用携帯端末ＩＤに関連した患者についての、一般ＤＢに蓄積された看護師作業項目を抽出する。例えば、入力されたオーダ情報が図３に示すように、検査指示が「採血（一般）」、患者ＩＤが「１００００２」、「実施日時」が２０１３年１月２８日の午前１０時から１１時であった場合、患者ＩＤ「１００００２」に対応する看護師用携帯端末ＩＤ「０００１」についての看護師作業項目として、オーダと看護師作業項目との対応関係から「採血（一般）」に対応する作業項目である、採血量「４００ｃｃ」および容器個数「２００ｃｃ×２」という情報を一般ＤＢ５００から抽出する。上記対応テーブルについて、例えば予め固定型端末５０によるブラウザ画面からの入力で対応テーブルを入力し、この入力された対応テーブルを新たな対応テーブルとして用いて、上記各情報の抽出に用いてもよいし、上記ブラウザ画面から抽出したい情報を直接入力してもよい。
【００２４】
ここで、看護師用携帯端末参照用ＤＢ６００（専用ＤＢ６００）は、演算処理手段８００によって生成される。この専用ＤＢ６００の生成は、該当する看護師用携帯端末から看護師携帯端末提供情報の要求がある前に生成されていればよく、オーダ情報が取得時、看護師作業項目の抽出時、もしくは例えば看護師用端末２００から、看護師からの看護師用端末２００への入力に基づく該当する患者についての情報の要求が発せられた時に、生成してもよい。
【００２５】
次に、演算処理手段８００は、抽出した看護師作業項目および予め格納された二者関係を参照して取得された看護師用携帯端末ＩＤと、患者ＩＤ、作業日時および看護師作業項目を含んだ、看護師用携帯端末ＩＤ毎の看護師携帯端末提供情報を生成する。ここでは、患者ＩＤ「１００００２」に対応する看護師用携帯端末ＩＤ「０００１」が割り当てられた看護師携帯端末に対して、図６に示すごとく患者名、実施日時そして作業項目である採血量と容器個数についての情報を組み合わせた情報を生成する。
【００２６】
次に、演算処理手段８００は、生成した看護師携帯端末提供情報を専用ＤＢ６００に格納させ、ＩＤ「０００１」が割り当てられた看護師用携帯端末３００から、看護師携帯端末提供情報の提供要求があった時に、専用ＤＢ６００を参照して、ネットワーク１０を介して当該看護師用携帯端末３００に提供することを行う。この時、提供情報を患者ＩＤ順または作業日時順に並べ替えて提供することで、看護師がより作業項目の確認および実施を効率よく行いやすくすることができる。
【００２７】
次に、看護師による看護師用携帯端末３００からネットワーク１０を介して専用ＤＢ６００の看護師携帯端末提供情報が参照される。そして、この提供情報に含まれる作業項目に従って患者に対して検温・採血などの医療業務を実施し、実施した内容に関する情報が看護師用携帯端末３００から入力が行われる。この入力が行われ、看護師携帯端末提供情報の更新が行われる。
【００２８】
このように、看護師が患者に対して作業するのに必要な情報だけが表示され、余分な情報が表示されないので、情報量も少なく、看護師は看護師用携帯端末を用いて、速やかに、提供情報を参照して患者に対する作業を実施することができる。すなわち、パーソナルコンピュータのような演算処理能力を有さない小型の携帯端末においても、速やかに、提供情報を参照して患者に対する作業を実施することができる。
【００２９】
以上の構成によれば、看護師が医師からの指示に対して、看護師用携帯端末を用いて看護師用携帯端末用ＤＢからの看護師端末用提供情報を参照することで、速やかに作業に必要な情報を取得することができるので、医療業務の効率を改善することができる医療業務システムおよび医療業務システムの医療業務情報サーバを提供することができる。
【００３０】
本実施例では、看護師用端末２００から任意の患者の患者情報や診療情報を選択して、選択または入力した情報について看護師用携帯端末提供情報を生成し、専用ＤＢ６００に格納し、看護師用携帯端末３００から上記選択した情報について生成した看護師用携帯端末提供情報を参照するものである。ここで、「選択」とは、固定型端末５０のディスプレイ等の画面表示装置に表示されたブラウザなどの画面インターフェースから、ブラウザ画面に表示される患者に関係する患者情報や診療情報等の情報（以下、ユーザ入力情報と称する。）をマウス等のポインティングデバイスで選択し、演算処理手段８００へネットワーク１０を介してその選択されたユーザ入力情報を送信することを意味する。また、「入力」とは、固定型端末５０のディスプレイ等の画面表示装置に表示されたブラウザなどの画面インターフェースから、ブラウザ画面に表示されるテキスト入力画面からユーザ入力情報をキーボード等の入力装置で入力し、演算処理手段８００へネットワーク１０を介してその入力されたユーザ入力情報を送信することを意味する。演算処理手段８００は、この送信された情報を取得し、取得した情報に基づいて、看護師用携帯端末提供情報を生成するなど、様々な処理を行う。以下、その構成やその動作について詳述する。
【００３１】
図７は、本実施例の医療業務システムの医療業務サーバの詳細構成をブロック図で示す図である。医療業務サーバ４００は、医師用端末１００または看護師用端末２００である固定型端末５０で選択、入力されたユーザ入力情報を取得する入力情報取得部４１２と、一般ＤＢ５００と、入力情報取得部４１２で取得された情報に基づいて一般ＤＢ５００に格納される情報を抽出する医療業務情報抽出部４１６と、抽出された情報を複製して看護師携帯端末提供情報として看護師携帯端末３００へ格納する看護師携帯端末参照用ＤＢを作成する看護師携帯端末参照用ＤＢ作成部４２０と、看護師携帯端末参照用ＤＢ作成部４２０で作成された護師携帯端末参照用ＤＢに格納された看護師携帯端末提供情報を、看護師用携帯端末３００に出力する携帯端末画面出力部４６２と、一般ＤＢ５００に格納された各情報について固定型端末５０が備える顔面表示手段に出力する固定型端末画面出力部４８２と、を備える。
【００３２】
また、医療業務サーバ４００は、医師用端末１００または看護師用端末２００からユーザ入力情報更新の要求の入力があった時に、一般ＤＢ５００に格納された、更新を要求されたユーザ情報に対応する情報について、更新可能かどうかの判定を行う更新情報登録部４１４と、一般ＤＢ５００に格納された情報に対して、演算処理手段８００に更新や削除の処理を判断させるためのフラグ情報であるロックステータスを設定するロックステータス変更部４３０と、看護師用携帯端末３００から入力された情報を生成された専用ＤＢ６００に格納された患者情報や診療情報等への情報の登録をする入力情報登録部４６４とを備える。
【００３３】
また、医療業務サーバ４００は、専用ＤＢ６００に格納された患者情報や診療情報等の情報が更新されているかを所定の時間を置いて判断する変更情報監視部４７２と、専用ＤＢ６００に格納された患者情報や診療情報等の情報が更新されている場合に看護師用携帯端末に情報が更新されている旨の表示をする変更情報通知部４７４と、看護師用携帯端末３００から登録された患者情報や診療情報を、一般ＤＢ５００に登録をする携帯端末情報登録部４４６と、専用ＤＢ６００に格納された患者情報や診療情報等への情報を削除する携帯端末参照用情報削除部４４２とを備える。
【００３４】
これら、入力情報取得部４１２、携帯端末画面出力部４６２、入力情報登録部４６４および固定端末画面出力部４８２は、上述の図２に示した入出力部４１０に相当し、更新情報登録部４１４、医療業務情報抽出部４１６、看護師携帯端末参照用ＤＢ作成部４２０、ロックステータス変更部４３０、看護師用携帯端末参照用情報削除部４４２、携帯端末情報登録部４４６、変更情報監視部４７２および変更情報通知部４７４は、ＤＢ制御部８１０やＤＢ制御部８３０に相当し、これら各部の動作は演算制御手段８００によって制御される。また、演算制御手段８００は、その他の様々な医療業務システムの動作の処理の制御を行う。以下、特に明記の無い各処理については、演算処理制御部８００が行うものとする。
【００３５】
図８は、本実施例の医療業務システムの一般ＤＢまたは専用ＤＢに格納される患者情報テーブルの例を示す図である。図８（ａ）は、一般ＤＢ５００に格納される患者情報テーブル５２０を示している。患者を区別するための「患者ＩＤ」や、「患者名」、「生年月日」、「身長」、「体重」等の患者情報を有している。また、図８（ｂ）は、専用ＤＢ６００に格納される患者情報テーブル６２０を示している。この患者情報テーブル６２０は、一般ＤＢ５００に格納された患者情報テーブル５２０から抽出された「患者ＩＤ」、「患者名」、「生年月日」、「身長」、「体重」等の患者情報からなる。
【００３６】
図９は、本実施例の医療業務システムの一般ＤＢまたは専用ＤＢに格納される検温情報テーブルの例を示す図である。図９（ａ）は、一般ＤＢ５００に格納される検温情報テーブル５３０を示している。患者を区別するための「患者ＩＤ」や、「日付」、実際に検温を実施した「時間」、検温した「温度」、最高血圧を示す「血圧高」、最低血圧を示す「血圧低」等の患者情報を有している。また、図９（ｂ）は、専用ＤＢ６００に格納される検温情報テーブル６３０を示している。この検温情報テーブル６３０は、一般ＤＢ５００に格納された検温情報テーブル５２０から抽出された「患者ＩＤ」、「日付」、「時間」、「温度」、「血圧高」、「血圧低」等の患者情報からなる。
【００３７】
図１０は、本実施例の医療業務システムの一般ＤＢまたは専用ＤＢに格納されるオーダ情報テーブルの例を示す図である。図１０（ａ）は、一般ＤＢ５００に格納されるオーダテーブル５４０を示している。オーダ情報を区別するための「オーダＮｏ」、患者を区別するための「患者ＩＤ」や、オーダを看護師が実施した「実施日付」、オーダを看護師が実施した「実施時間」等の診療情報を有している。また、図１０（ｂ）は、専用ＤＢ６００に格納されるオーダテーブル６４０を示している。このオーダテーブル６４０は、一般ＤＢ５００に格納されたオーダテーブル５４０から抽出された「オーダＮｏ」、「患者ＩＤ」、「実施日付」、「実施時間」等の患者情報からなる。
【００３８】
図１１は、本実施例の医療業務システムの一般ＤＢまたは専用ＤＢに格納される採血情報テーブルの例を示す図である。図１１（ａ）は、一般ＤＢ５００に格納される採血情報テーブル５７０を示している。オーダ情報を区別するための「オーダＮｏ」、患者を区別するための「患者ＩＤ」や、医師が採血した血液について検査したい検査項目（例えば、血液中のＩｇＡの検査、等）の情報を示す「検査項目」等の診療情報を有している。また、図１１（ｂ）は、専用ＤＢ６００に格納されるオーダテーブル６７０を示している。このオーダテーブル６４０は、一般ＤＢ５００に格納されたオーダテーブル５７０から抽出された「オーダＮｏ」、「患者ＩＤ」、「検査項目」等の患者情報からなる。
【００３９】
これら図８〜図１１に示した各テーブルは、医師用端末１００や看護師用端末２００によって参照される。各テーブルは他の項目を含んでもよい。また、図８（ａ）、図９（ａ）、図１０（ａ）、図１１（ａ）に示す例では、「ロックステータス」なる項目を含んでいる。この「ロックステータス」は、抽出した患者情報または診療情報について、演算処理手段８００が変更や削除の可否状態を判断するためのフラグ情報である。これを用いた医療業務システム１の動作については後述する。また、図８（ｂ）に示す例では、「検温表」なる項目を含んでいる。この「検温表」は、患者の検温の実施状態を示すためのフラグ情報である。これは例えば、オーダ情報に基づいて、検温の指示がなされている場合に、演算処理手段８００が該当する患者の「検温表」のフラグを“０”とする。また、看護師が検温を実施後、看護師用携帯端末３００を介して検温実施した旨の情報を入力することにより、演算処理手段８００がその情報を取得し、該当する患者の「検温表」のフラグを“１”とする。これにより、医師や看護師が固定型端末５０のブラウザ画面から患者情報を一般ＤＢから参照し、「検温表」フラグを参照することで、患者に対して検温が実施されたか否かの状態を即座に確認することができる。これにより、より使い易い医療業務システムを提供することができる。
【００４０】
また、図１０（ａ）や図１０（ｂ）に示す例では、それぞれ「ステータス」なる項目を含んでいる。これは例えば、医師によって医師用端末１００を介して、オーダ情報が入力された時に、演算処理手段８００が「ステータス」のフラグを“０”と設定する。そして、オーダ情報について、オーダ情報の看護師作業項目に従って看護師が患者への作業を完了し、看護師が所持する看護師用携帯端末３００を介して看護師作業項目の完了の旨を入力された時に、その入力を演算処理手段８００が取得して該当するオーダ情報について「ステータス」のフラグを“１”とする。これにより、例えば演算処理手段８００が、看護師用端末２００からオーダ情報の参照またはオーダ情報に含まれる看護師作業項目の更新の入力があった時に、オーダ情報の「ステータス」を参照してフラグが“１”である場合に、看護師用端末２００に参照または更新しようとしたオーダ情報は既に登録済みである旨を表示することで、該当する情報の参照や更新を禁止することで、情報の２重登録を防ぐことができる。これにより、信頼性の高い医療業務システムを提供することができる。
【００４１】
図１２は、本実施例の医療業務システムに格納される通知テーブルの例を示す図である。図１２に示す通知テーブル９１０は、「患者ＩＤ」、「オーダＮｏ」、看護師用携帯端末３００毎に割り当てられた看護師用携帯端末３００を識別するための「看護師用携帯端末ＩＤ」、看護師用携帯端末３００のユーザである看護師を識別するための「ログインＩＤ」、「通知フラグ」により構成されている。ここで、「ログインＩＤ」とは、病院から看護師用携帯端末３００の使用を認可された看護師について割り当てられるＩＤである。このように、通知テーブル９１０は、「患者ＩＤ」、「オーダＮｏ」、「看護師用携帯端末ＩＤ」、「ログインＩＤ」との対応関係を定めたテーブルである。また、「通知フラグ」は、看護師用携帯端末３００に対応するオーダ情報について、固定型端末５０によりオーダ情報の変更状態を判断するフラグ情報であり、演算処理手段３００が、固定型端末５０を介して更新の入力を取得した場合に、対応する看護師用携帯端末ＩＤが割り振られた看護師用携帯端末３００に対して変更があった旨の画面表示を行う時に参照される。この通知テーブル９１０の行情報つまり対応関係の情報は、抽出された情報に対応するオーダ情報毎に生成され蓄積される。
【００４２】
図１３は、本実施例の医療業務システムに格納されるユーザテーブルの例を示す図である。図１３に示すユーザテーブル９３０は、「ログインＩＤ」、「パスワード」、「ユーザ名」により構成されており、これらの対応関係が定められたテーブルである。演算処理手段８００は、固定型端末５０または携帯端末６０での画面表示や入出力プログラムの起動時に、ログイン画面を画面表示して、パスワード入力を求め、この情報を取得し、ユーザテーブル９３０を参照することで、固定型端末５０や携帯端末６０との間の情報の入出力を可能にする。このようにすることで、情報管理上の安全性や機密性に優れた医療業務システムを提供することができる。
【００４３】
図１４は、本実施例の医療業務システムに格納される携帯端末テーブルの例を示す図である。図１３に示す携帯端末テーブル９５０は、「看護師用携帯端末ＩＤ」、「端末名」、「ＩＰアドレス」により構成されている。看護師用携帯端末３００は、ネットワーク１０を介して端末を識別するためのＩＰアドレスがそれぞれ端末毎に割り当てられる。この携帯端末テーブル９５０は、看護師用携帯端末毎の端末名と端末ＩＤとＩＰアドレスの対応関係を定めたテーブルである。これによれば、演算処理手段３００がこの携帯端末テーブル９５０を参照することで、ネットワーク１０を介して各看護師用携帯端末を識別することができる。
【００４４】
これら図１２〜図１４に示した各テーブル９１０、９３０、９５０は、医療業務サーバ４００の一般ＤＢに格納してもよいし、医療業務システムに別の格納部を設けて格納してもよいし、外部のサーバが備える格納部に格納し、ネットワーク１０を介して各テーブルの情報を参照するようにしてもよい。また、これら各テーブル９１０、９３０、９５０は、専用ＤＢ６００が生成された時に生成され、看護師携帯端末提供情報としてＤＢ６００に格納される。
【００４５】
図１５は、本実施例の医療業務システムにおける医療業務情報の処理手順の例を（ａ）と（ｂ）を用いて順次説明する図である。また、図１６は、図１５の手順における固定型端末の画面表示の例を（ａ）〜（ｆ）を用いて順次説明する図である。また、図１７は、図１５の手順における携帯端末の画面表示の例を（ａ）〜（ｃ）を用いて順次説明する図である。次に、これら図１５〜図１７を用いて、ユーザである看護師が医師用端末１００または看護師用端末２００が備える画面表示手段に表示される業務選択画面から患者情報や診療情報を選択し、看護師用携帯端末３００が備える画面表示手段を介して情報を参照し、入院患者に対して検温を実施し、実施情報を登録する場合の例の処理について説明する。なお、この例では、上記選択は、看護師のマウス操作のクリック等の動作によって行われる。また、以下説明する例では、固定型端末５０から患者情報と診療情報を選択して、この選択に基づいて生成された看護師携帯端末参照用情報を看護師携帯端末参照用ＤＢ６００に格納し、看護師用携帯端末３００から参照しているが、患者情報と診療情報のいずれかの情報を固定型端末５０から選択して、看護師用携帯端末３００から情報を参照するようにしてもよく、動作はいずれも以下説明する手順と同様である。
【００４６】
ステップＳ１０１では、まず、医師用端末１００または看護師用端末２００で医療業務サーバ４００との情報のやり取りを行うためのブラウザを起動させ、ブラウザ画面からパスワード、ログインＩＤを入力されることで、ログイン認証がなされる。
【００４７】
ステップＳ１０２では、必要な患者情報、業務情報を選択が行われる。具体的には、ログイン認証がなされると、図１６（ａ）に示すごとく、医師用端末１００あるいは看護師用端末３００の画面表示手段１５０に表示される画面１６０のような、病棟毎に入院している患者が表示される病棟画面が表示される。ここで、画面１６０は、画面表示手段１５０の画面表示部に表示される。この病棟画面は、予め医療業務サーバ４００に、入院患者とその入院患者が入院している病棟との対応関係が格納されており、ブラウザの画面生成プログラムがその対応関係を参照して生成する画面である。以下、図１６に示す表示画面１６０は、ブラウザの画面生成プログラムによって生成される。次に、この画面１６０上の「患者Ａ」が表示されている画面上で右クリック等の操作がなされると、「持出業務選択」等の文言が表示される画面が表示される。そして、表示された「持ち出し業務選択」がクリックされると、図１６（ｂ）に示すように、看護師用携帯端末３００で参照するための患者情報または診療情報を選択する業務選択画面１６０が表示される。ここで、「検温」の選択がなされると、図１６（ｃ）に示すような、患者の過去の検温情報を持ち出す範囲を選択する期間、持ち出す情報を送る先を指定する看護師用携帯端末ＩＤを入力するため入力エリア等の検温表持出画面１６０が表示され、看護師によって患者の過去から現在までの検温情報の中から、持ち出したい期間（日時）を選択または入力される。なお、ここで情報の「持ち出し」とは、選択した情報について、一般ＤＢ５００から該当する情報を抽出し、専用ＤＢ６００に格納し、看護師用携帯端末でＤＢ６００を参照、更新を行うようにできる状態にすることを示す。その後、看護師用携帯端末ＩＤを入力エリアに入力し、「タブレットへ」ボタン等をクリックする。また、「オーダ」の選択がなされると、情報を図１６（ｄ）に示すような、患者に対する看護師へのオーダ情報（図示の例では、「採血１」など）と、持ち出すオーダ情報を送る先を指定する看護師用携帯端末ＩＤを入力するための入力エリア等の検温表持出画面１６０が表示され、看護師によってオーダ情報の中から、持ち出したいオーダ情報が選択される。その後、看護師用携帯端末ＩＤを入力エリアに入力し、「タブレットへ」ボタン等をクリックする。そして、ブラウザもしくは端末の処理プログラムによって、上記各選択や入力に基づき、患者ＩＤ、患者情報または診療情報、および看護師携帯端末ＩＤを含む要求情報が生成されネットワーク１０を介して医療業務サーバ４００に送られる。つまり、看護師はブラウザ画面での選択や入力により患者ＩＤ、患者情報または診療情報、および看護師携帯端末ＩＤを含む要求情報を入力することとなる。なお、看護師携帯端末ＩＤは複数入力することができ、複数の看護師携帯端末３００に対して、選択した情報に基づいて生成された看護師用携帯端末提供情報が格納された看護師携帯端末参照用ＤＢ６００を参照させることができる。
【００４８】
ステップＳ１０３では、専用ＤＢ６００が作成される。具体的には、入力情報取得部４１２が、上記ステップＳ１０２で入力された情報を取得し医療業務情報抽出部４１６へ取得情報を送る。医療業務情報抽出部４１６が、一般ＤＢ５００から送られた取得情報に含まれる、患者ＩＤと期間で選択された日時に基づき、患者情報ＤＢ５１０および検温情報ＤＢ５６０から上記選択された情報を抽出し、生成された看護師携帯端末参照用ＤＢ６００携帯端末患者情報ＤＢ６１０に抽出した情報を複製する。また、医療業務情報抽出部４１６は、一般ＤＢ５００から送られた取得情報に含まれる、オーダ情報に基づき、オーダ情報ＤＢ５６０および診療情報ＤＢ５６０から上記選択された情報を抽出し、看護師携帯端末参照用ＤＢ６００携帯端末診療情報ＤＢ６６０に抽出した情報を複製する。
【００４９】
なお、携帯端末参照用ＤＢ作成部４２０は、要求情報の入力があった時に看護師携帯端末参照用ＤＢ６００が存在しない場合、看護師携帯端末参照用ＤＢ６００を生成する。つまり、看護師携帯端末参照用ＤＢ６００は、看護師が医師用端末１００または看護師用端末２００で必要な情報を選択したときに作成され、その後、一般ＤＢ５００から選択された情報が看護師携帯端末参照用ＤＢ６００に複製される。これにより、看護師用携帯端末３００で看護師携帯端末参照用ＤＢ６００を参照することで医療情報の検索処理や表示処理の高速化を可能にする。
【００５０】
このように、演算処理手段８００が、看護師用端末２００から発せられた、看護師によって入力された患者ＩＤ、患者情報または診療情報、および看護師携帯端末ＩＤを含む要求情報を取得し、取得した要求情報に基づいて、一般ＤＢ５００に蓄積された患者情報または診療情報を抽出し、抽出した患者情報または診療情報を含んだ、取得された看護師用携帯端末ＩＤ毎の看護師携帯端末提供要求情報を生成し、生成した看護師携帯端末提供要求情報を看護師用携帯端末参照用ＤＢ６００に格納させ、看護師用携帯端末から、看護師携帯端末提供要求情報の提供要求があった時に、看護師用携帯端末参照用ＤＢ６００を参照して、看護師携帯端末提供要求情報を、ネットワークを介して当該看護師用携帯端末３００に提供する。以上のように看護師が看護師用端末２００を介して任意の患者の患者情報や診療情報を参照・選択して抽出してその看護師が用いる看護師用携帯端末３００が参照する専用ＤＢ６００に専用情報として格納することで、看護師が任意の場所でその看護師用携帯端末３００を用い、患者情報や診療情報を参照して患者に対する作業を行うことができるので、より使い易い医療業務システムを提供することができる。また、パーソナルコンピュータのような演算処理能力を有さない小型の携帯端末においても、一般ＤＢを参照せずに携帯端末用提供情報が格納された専用ＤＢを参照することで、速やかに、提供情報を参照して患者に対する作業を実施することができる。
【００５１】
ステップＳ１０４では、ロックステータス変更部４３０が、一般ＤＢ５００の患者情報ＤＢ５１０または診療情報ＤＢ５６０の選択された情報のロックステータスを図８（ａ）、図９（ａ）、図１０（ａ）または図１１（ａ）に示す各テーブルの「ロックステータス」を“１”に変えることで、医師用端末１００あるいは看護師用端末２００から患者情報または診療情報のロックステータスが“１”とされた情報の更新を禁止する。
【００５２】
ステップＳ１０５では、図１６（ｅ）に示すごとく、医師用端末１００または看護師用端末２００の病棟画面１６０に、選択された情報が持ち出されていることをユーザに認知させるために、固定端末画面出力部４８２が患者情報ＤＢ５１０のロックステータスが“１”の情報について選択された情報が持ち出されていることを表示し、また図１６（ｆ）のように業務選択画面１６０にも同様に、選択された情報が持ち出されていることを表示する。図示の例では、該当する患者名または業務（検温）やオーダ情報名が表示されている画面１６０の下部に赤色の文字で「［！］業務持出中」と画面表示する。これにより、一般ＤＢ５００の各テーブルの情報がロックステータスを保持し、専用ＤＢ６００に複製されている情報に相当する情報の更新を禁止することで、例えば看護師用携帯端末で既に登録されているのにもかかわらず、さらに固定端末５０で同じ情報が登録されてしまうといった、二重登録を防ぐことができる。
【００５３】
ステップＳ１０６では、図１７に示すごとく、看護師用携帯端末３００の画面表示手段３５０に業務一覧画面３６０が表示される。ここで、画面３６０は、画面表示手段３５０の画面表示部に表示される。また、この画面３６０は、携帯端末用患者情報ＤＢ６１０に格納されたテーブルの患者名や、携帯端末用診療情報ＤＢ６６０に格納されたテーブルのオーダ名等の情報を用いて、演算処理手段８００によって生成される。看護師によって看護師用携帯端末３００が起動されると、携帯端末画面出力部４６２が、生成された画面３６０を画面表示する。看護師用携帯端末３００の画面３６０に表示される画面は医療業務情報サーバの処理プログラム等で生成される。これにより、看護師用携帯端末３００は、ブラウザ等のプログラムを有することなく、情報の画面表示が可能となるので、看護師用携帯端末３００からの情報の参照や看護師用携帯端末３００への画面表示の速度が向上する医療業務システムを提供することができる。また、上述したように、看護師用携帯端末３００の画面３６０から、携帯端末用診療情報ＤＢ６６０に格納された情報の提供要求を取得し、画面３６０に画面表示させることができる。
【００５４】
ステップＳ１０７、ステップＳ１０８では、看護師による患者に対する検温が実施され、看護師が看護師用携帯端末３００の表示画面３６０から検温で得られた体温や血圧等の情報の入力がなされる。
【００５５】
ステップＳ１０９では、入力情報登録部４６４が、看護師用携帯端末３００から入力された情報を取得し、専用ＤＢ６００の携帯端末用患者情報ＤＢ６１０または携帯端末用診療情報ＤＢ６６０に追加または更新をする。
【００５６】
ステップＳ１１０で、看護師用携帯端末３００の画面３６０に「登録を完了しますか」等のダイアログを表示し、「はい」が選ばれた場合、携帯端末用患者情報テーブルの検温表ステータスを“１”に変更し、図１７（ｂ）に示すように画面３６０のように、業務一覧画面の該当する「検温」の表示色を変える等して登録が完了されたことを表示する。これにより、看護師に視認させやすくする。この表示色の変更は携帯端末画面出力部４６２による処理によって行われる。また、「採血１」についても同様に、表示色を変えるようにすることもできる。
【００５７】
ステップＳ１１１で、看護師が業務一覧画面の「検温」の文言を長押しすることで、図１７（ｃ）に示す画面３６０のように「終了」等の文言が表示され、「終了」等の文言が選択されることで、看護師用携帯端末３００で入力された情報が、看護師用端末参照用ＤＢ６００に登録される。「採血」についても同様に、「終了」等の文言が選択されることで、看護師用携帯端末３００で入力された情報が、看護師用端末参照用ＤＢ６００に登録される。
【００５８】
ステップＳ１１２で、携帯端末情報登録部４４６が、看護師用端末参照用ＤＢ６００の携帯端末用患者情報ＤＢ６１０や携帯端末用診療情報ＤＢ６６０の情報を患者ＩＤ、日時に基づいて、一般ＤＢ５００の患者情報ＤＢ５１０や診療情報ＤＢ５６０への更新を行う。
【００５９】
ステップＳ１１３で、ロックステータス変更部４３０が、患者情報ＤＢ５１０や診療情報ＤＢ５６０の選択された情報のロックステータスを“０”に変える。これにより、固定型端末５０による更新の禁止が解除されることとなる。上記ステップＳ１０４とステップＳ１１３によれば、演算処理手段８００が、一般ＤＢ５００に蓄積された患者情報または診療情報のうち、抽出した患者情報または診療情報について、変更や削除の可否状態を判断するためのロックステータスを付与し、ロックステータスが付与された患者情報または診療情報に対しての情報更新を禁止状態にし、看護師携帯端末提供情報の登録更新入力があった時に、ロックステータスが付与された患者情報または診療情報のロックステータスを解除することにより、上述したようにデータの二重登録を防ぐことができる。これによれば、信頼性の高い医療業務システムを提供することができる。
【００６０】
ステップＳ１１４で、携帯端末参照用情報削除部４４２が、患者情報ＤＢ５１０または診療情報ＤＢ５６０への更新を行い、更新が完了した携帯端末用患者情報ＤＢ６１０の携帯端末用診療情報ＤＢ６６０情報を削除する。
【００６１】
ステップＳ１１５で、携帯端末参照用情報削除部４４２が、携帯端末用患者情報ＤＢ６１０や携帯端末用診療情報ＤＢ６６０の全ての情報が無い（Ｎｕｌｌ）場合、携帯端末用患者情報ＤＢ６１０や携帯端末用診療情報ＤＢ６６０を削除し、携帯端末用患者情報ＤＢ６００を削除する。
【００６２】
ステップＳ１１６で、図１６（ｇ）に示すように、業務選択画面１６０に業務が完了したことをそれぞれ表示する。図示の例では、該当する患者名または業務（検温）やオーダ情報が表示されている画面１６０の下部に赤色の文字で「［！］業務完了」と画面表示する。
【００６３】
このように、本実施例の医療業務システムによれば、固定型端末から選択された情報に基づいて、看護師用携帯端末提供情報を抽出し、専用ＤＢ６００に格納し、看護師用携帯端末３００で上記格納した情報を参照することで患者情報の検索処理や表示処理の高速化を可能にした電子カルテシステムを提供することができる。
【００６４】
また本実施例の医療業務システムは、演算処理手段８００は、ロックステータスが付与された患者情報または診療情報に対しての情報更新の要求を取得した時に、取得した要求に基づいて看護師用携帯端末参照用ＤＢ６００に格納された看護師携帯端末提供要求情報に含まれる患者情報または診療情報の情報更新を行う構成を備える。このようにすることで、看護師が変更された情報について看護師用携帯端末参照用ＤＢ６００を参照することで、更新前の古い情報に基づいて患者に対する作業を実施する等の不適切な作業を防ぐことができ、信頼性の高い医療業務システムを提供することができる。また、一般パーソナルコンピュータのような演算処理能力を有さない小型の携帯端末においても、速やかに、提供情報を参照して患者に対する作業を実施することができる。
【００６５】
図１８は、本実施例の医療業務システムにおける医療業務情報の処理手順の別の例を説明する図である。また、図１９は、図１８の手順における固定型端末の画面表示の例を説明する図である。また、図２０は、図１８の手順における携帯端末の画面表示の例を説明する図である。この例では、医師用端末１００または看護師用端末２００から変更する業務情報を選択し、看護師用携帯端末３００に通知するまでの手順を示す。画面表示３６０の表示処理、情報の選択・入力、医療業務サーバ４００における選択・入力された情報の処理については、上述した図１５〜図１７に説明した手順と同様である。
【００６６】
ステップＳ３０１で、看護師は医師用端末１００または看護師用端末３００の画面表示から図１９（ａ）に示す画面１６０のような、変更を行うオーダ（採血１）の上で右クリック等の操作をし、「変更」等の文言をクリックし、オーダを表示させ、内容を変更し、登録を行う。この登録が行われた情報について、演算処理手段８００は、対応するオーダテーブル５４０の「ステータス」を“１”とする。これと同時に、演算処理手段８００は、ステータスが“１”とされたオーダ情報と対応する携帯端末オーダテーブル６４０のオーダ情報のステータスを“１”とする。
【００６７】
ステップＳ３０２で、更新情報登録部４１４が一般ＤＢ５００の診療情報５６０の変更を行うオーダ情報のロックステータスをオーダテーブル５４０や採血テーブル５７０の「ロックステータス」を参照することを行い、ロックステータスが“０”であれば一般ＤＢ５００の診療情報５６０の情報を更新し、ロックステータスが“１”であれば携帯端末用診療情報ＤＢ６６０の情報を更新する。ここで、携帯端末用診療情報ＤＢ６６０の携帯端末用オーダテーブル６４０の「ステータス」が“１”となっていた場合、携帯端末用診療情報ＤＢ６６０の情報を更新せず、医師用端末１００または看護師用端末２００に図１９（ｂ）に示す画面１６０のように実施登録済みまたはであることを表示する。従って、上記「ステータス」は、オーダ情報に更新があったか否かを判断させる更新済みステータスとしてのフラグ情報としての機能を有する。
【００６８】
ステップＳ３０３で、医療業務サーバ４００の更新情報登録部４１４が通知テーブル９１０の更新さ通知フラグを“１”に更新する。ここで、通知テーブル９１０は専用ＤＢ６００が作成されるときに作成されて看護師用携帯端末提供情報として専用ＤＢ６００に格納される。
【００６９】
ステップＳ３０４で、医療業務サーバ４００の変更情報監視部４７２は定期的に通知テーブル９１０の通知フラグを監視し、通知フラグが“１”であった場合、図２０に示す画面３６０のように変更情報通知部４４２が看護師用携帯端末３００に変更があることを通知する。
【００７０】
ステップＳ３０３で、看護師が看護師用携帯端末３００で変更情報の視認が行われ、情報の変更が行われたことが確認される。
【００７１】
このように、本実施例の医療業務システム１は、演算処理手段５００は、看護師携帯端末３００から登録更新入力のあった看護師携帯端末提供情報に含まれる患者情報または診療情報について更新済みステータスを付与して該患者情報または該診療情報を更新し、更新済みステータスが付与された患者情報または診療情報について看護師用携帯端末３００の画面表示手段３５０に情報が変更された旨を画面表示する構成を備える。この構成とすることで、看護師が看護師用携帯端末３００に表示された変更情報について視認により確認することができ、変更のあった情報に対して誤って二重登録をしてしまうことで誤ったデータを生成することを防ぐことができ、信頼性の高い医療業務システムを提供することができる。
【００７２】
また、情報の二重登録を防ぐものとして、本実施例の医療業務システム１は、演算処理手段８００は、ロックステータスが付与された患者情報または診療情報に対しての情報更新の要求を取得した時に、情報更新を要求された患者情報または診療情報に相当する、看護師携帯端末提供情報に含まれる患者情報または診療情報に更新済みステータスが付与されている場合に、該患者情報または該診療情報の情報更新を禁止状態にする構成を備える。
【００７３】
また、本実施例の医療業務システムにおいて、一般ＤＢに、看護師用携帯端末３００の取り扱いを病院から認可された看護師の看護師ＩＤと看護師用携帯端末ＩＤとの二者関係が予め格納され、演算処理手段は、看護師用携帯端末３００から看護師携帯端末提供要求情報の要求があった場合に、予め格納された二者関係を参照し、看護師用携帯端末参照用ＤＢを参照して、看護師携帯端末提供情報を、ネットワークを介して当該看護師用携帯端末３００に提供する構成を備える。上記の二者関係は、例えば、図２１に示すようなテーブル９９０によって構成される。ユーザテーブル９３０の列を追加して看護師携帯用端末ＩＤの項目を設けてこのテーブルを参照させるようにしてもよい。以上の構成によれば、医師や看護師が取り扱う診療情報取り扱いについて高い機密性や安全性を備えた医療業務システムを提供することができる。
【００７４】
図２２は、本実施例の医療業務システムにおける携帯端末の画面表示の別の例を説明する図である。本実施例の医療業務システムは、看護師用携帯端末３００に表示される画面１６０または画面３６０は、図２２に示すような画面３６０を表示してもよい。この画面３６０は、演算処理制御手段８００によって生成された図６に示した看護師作業項目と図１１（ｂ）に示した抽出された採血テーブルを表示している状態を示す。このようにすることで、看護師は、テーブルに示された情報を参照しながら、作業項目の作業を実施することができるので、作業効率が改善される。
【００７５】
このように、本実施例の医療業務システムによれば、パーソナルコンピュータのような演算処理能力を有さない小型の携帯端末においても、一般ＤＢを参照せずに携帯端末用提供情報が格納された専用ＤＢを参照することで、看護師は、速やかに提供情報を参照して患者に対する作業を実施することができるため、医療業務の効率を改善することができる。
【符号の説明】
【００７６】
１：医療業務情報システム、１０：通信手段（ネットワーク）、１４：無線ＬＡＮ、１００：医師用端末、１６０：画面、２００：看護師用端末、３００：看護師用携帯端末、３６０：画面、４００：医療業務サーバサーバ、４１０：入出力部、４１２：入力情報取得部、４１４：更新情報登録部、４１６：医療情報抽出部、４２０：携帯端末参照用ＤＢ作成部、４３０：ロックステータス変更部、４４６：携帯端末情報登録部、４４２：携帯端末参照用情報削除部、４６２：携帯端末画面出力部、４６４：入力情報登録部、４７２：変更情報監視部、４７４：変更情報通知部、４８２：固定型端末画面出力部、５００：一般ＤＢ、５１０：患者情報ＤＢ、５２０：患者情報テーブル、５３０：検温表テーブル、５４０：オーダテーブル、５６０：診療情報ＤＢ、６００：看護師用携帯端末参照用ＤＢ（専用ＤＢ）、６１０：携帯端末用患者情報ＤＢ、６２０：携帯端末用患者情報テーブル、６３０：携帯端末用検温表テーブル、６４０：携帯端末用オーダテーブル、６６０：携帯端末用診療情報ＤＢ、５７０：採血テーブル、６７０：携帯端末用採血テーブル、８００：演算処理手段、８１０：ＤＢ制御部、８３０：専用情報生成部、８５０：ＤＢ制御部、８６０：専用ＤＢ６００の作成基準情報、９１０：通知テーブル、９３０：ユーザテーブル、９５０：携帯端末テーブル。
【図１】
2015125550.tif 000003
【図２】
2015125550.tif 000004
【図３】
2015125550.tif 000005
【図４】
2015125550.tif 000006
【図５】
2015125550.tif 000007
【図６】
2015125550.tif 000008
【図７】
2015125550.tif 000009
【図８】
2015125550.tif 000010
【図９】
2015125550.tif 000011
【図１０】
2015125550.tif 000012
【図１１】
2015125550.tif 000013
【図１２】
2015125550.tif 000014
【図１３】
2015125550.tif 000015
【図１４】
2015125550.tif 000016
【図１５】
2015125550.tif 000017
【図１６】
2015125550.tif 000018
【図１７】
2015125550.tif 000019
【図１８】
2015125550.tif 000020
【図１９】
2015125550.tif 000021
【図２０】
2015125550.tif 000022
【図２１】
2015125550.tif 000023
【図２２】
2015125550.tif 000024